(57)【要約】【課題】貫通孔の端面からコイル巻線までの距離が正確となるため、貫通孔を通過する球の正確な検知ができ、また貫通孔の内周面の段差を解消して球の流れの円滑化を図ることができる信頼性の高い検知構造を構築する。【解決手段】金属球を通過させる貫通孔の外周囲にコイル巻線を巻いてなるコイルスプールと、前記コイルスプールに巻かれたコイル巻線の両端を接続してなるセンサ回路を実装した配線基板と、前記コイルスプールと配線基板とを搭載するベースとを備えた貫通型金属球検出装置であって、前記コイルスプールに形成された貫通孔の端面を、前記コイルスプールの同じ端面側に該コイルスプールのカバー部材として配設される外殻部材の端面よりも軸方向に突出させて露出形成する。【選択図】図９
2007144116.tif 000002
【特許請求の範囲】
【請求項１】
金属球を通過させる貫通孔の外周囲にコイル巻線を巻いてなるコイルスプールと、
前記コイルスプールに巻かれたコイル巻線の両端を接続してなるセンサ回路を実装した配線基板と、
前記コイルスプールと配線基板とを搭載するベースと、
を備えた貫通型金属球検出装置であって、
前記コイルスプールに形成された貫通孔の端面を、前記コイルスプールの同じ端面側に該コイルスプールのカバー部材として配設される外殻部材の端面よりも軸方向に突出させて露出形成した
貫通型金属球検出装置。
【請求項２】
金属球を通過させる貫通孔の外周囲にコイル巻線を巻いてなるコイルスプールと、
前記コイルスプールに巻かれたコイル巻線の両端を接続してなるセンサ回路を実装した配線基板と、
前記コイルスプールと配線基板とを搭載するベースと、
を備えた貫通型金属球検出装置であって、
前記コイルスプールに形成された貫通孔の端面と、
前記コイルスプールの同じ端面側に該コイルスプールのカバー部材として配設される外殻部材の端面とを略同一の平面上に揃えた
貫通型金属球検出装置。
【請求項３】
前記コイルスプールの端面を磁気シールド用の外殻部材により被嵌して設けた
請求項１または２に記載の貫通型金属球検出装置。
【請求項４】
前記コイルスプールと、ベースと、シールド用の外殻部材とで囲まれる環状隙間を絶縁性樹脂材にてモールド固定してなる
請求項３に記載の貫通型金属球検出装置。
【発明の詳細な説明】
【技術分野】
【０００１】
この発明は、例えばパチンコ機などに内蔵されて遊技される金属球の通過の有無あるいは通過数を検知する貫通型金属球検出装置に関し、さらに詳しくは貫通孔を通過する球検出位置の精度を向上する貫通型金属球検出装置に関する。
【背景技術】
【０００２】
一般に、パチンコ機などの遊技機には、遊技盤に備えられている入賞口に遊技用の金属球(以下球と称す)が入賞されたとき、あるいは払出し通路を球が通過したとき、その球の通過を貫通型金属球検出装置によって検知している。
【０００３】
従来の貫通型金属球検出装置は、特許文献１に開示されているように、貫通孔の外周にコイルを巻いたコイルスプールと、前記コイル及びセンサ回路を収納するケースと、コイルに対する磁気シールドを目的とした金属製のシールド部材とを具備して構成している。
【０００４】
前記金属製の球を検出する原理は、貫通孔の外周に巻かれたコイル巻線を含む高周波発振回路を発振させ、コイル巻線の周辺に一定の高周波磁界を発生させ、その中心である貫通孔に球が通過することによって、コイル巻線の周辺の磁界を変化させ、発振回路の動作を変化させることによって金属製の球の通過を検知している。
【０００５】
よって、貫通型金属球検出装置が球を検出し始める位置の精度及び検出し終わる位置の精度は、貫通孔の要部を断面した図２５の要部拡大断面図に示すように、外殻のケース２５１の端面２５１ａからコイルスプール２５２に巻かれているコイル巻線２５３の位置までの球通過方向２５４の検知距離Ｌが定められる構造的な位置関係によって決まる。
【０００６】
しかしながら、このような検知構造では貫通孔２５５が、ケース２５１、シールド部材２５６、コイルスプール２５２などの複数の部材を組合せて構成されるために、複数の部材の個々の寸法のばらつきに加え、組合せ時の接合面間によるばらつきが生じ、貫通型金属球検出装置が球Ｐを検出し始める位置と球Ｐを検出し終わる位置とがばらついてしまう。それゆえ、球が貫通孔に存在しているときは、検出信号を出力するという基準位置が確定できないために、該貫通型金属球検出装置の構造の設計に際して、球の有無を検知する用途には使用し難い。
【０００７】
また、貫通孔は複数の部材を組合せて構成しているので、貫通孔の内周面に段差が生じやすく、段差が生じた場合は球の滑らかな通過を阻害する。さらに、球が貫通孔を通過するごとに通過速度を低下させて球通過時の妨げになり、遊技機自体の処理速度が損なわれるという問題を有していた。
【特許文献１】特開平９−４５１９５号公報。
【発明の開示】
【発明が解決しようとする課題】
【０００８】
そこでこの発明は、コイルスプールに形成されている貫通孔の外部に露出する端面と、該コイルスプールに巻かれているコイル巻線との位置関係が明確であるため、該コイルスプールの露出する端面を球検出開始位置に設定すれば、貫通孔の端面から内部のコイル巻線までの距離が正確に分るため貫通孔を通過する球を正確に検知できる。また、単一のコイルスプールに貫通孔を形成することが可能になり、貫通孔の内周面には段差が生じず、球の円滑な流れを確保することができ、信頼性の高い貫通型金属球検出装置を提供することができる。
【課題を解決するための手段】
【０００９】
この発明は、金属球を通過させる貫通孔の外周囲にコイル巻線を巻いてなるコイルスプールと、前記コイルスプールに巻かれたコイル巻線の両端を接続してなるセンサ回路を実装した配線基板と、前記コイルスプールと配線基板とを搭載するベースとを備えた貫通型金属球検出装置であって、前記コイルスプールに形成された貫通孔の端面を、前記コイルスプールの同じ端面側に該コイルスプールのカバー部材として配設される外殻部材の端面よりも軸方向に突出させて露出形成したことを特徴とする。
【００１０】
またこの発明は、金属球を通過させる貫通孔の外周囲にコイル巻線を巻いてなるコイルスプールと、前記コイルスプールに巻かれたコイル巻線の両端を接続してなるセンサ回路を実装した配線基板と、前記コイルスプールと配線基板とを搭載するベースと、を備えた貫通型金属球検出装置であって、前記コイルスプールに形成された貫通孔の端面と、前記コイルスプールの同じ端面側に該コイルスプールのカバー部材として配設される外殻部材の端面とを略同一の平面上に揃えて構成することができる。
【００１１】
この発明の態様として、前記コイルスプールの端面を磁気シールド用の外殻部材により被嵌して構成することができる。
【００１２】
またこの発明の態様として、前記コイルスプールと、ベースと、シールド用の外殻部材とで囲まれる環状隙間を絶縁性樹脂材にてモールド固定して構成することができる。
【発明の効果】
【００１３】
この発明によれば、貫通孔の外部に露出する端面を球の検知開始基準位置に特定できるため、該貫通孔を通過し始める球に対する検知開始位置が正確になり、球の検知タイミングを正確にとれるので検知特性が向上する。また、コイルスプールの両端面に適用した場合は、両端面からの検知位置を特定できるため、検知開始位置から検知終了位置まで正確に検知できる。またこのときは、貫通型金属球検出装置の表裏の取付け方向に制限を受けず、取扱い性に優れ、高精度で信頼性の高い確かな球の検知ができる。
【実施例】
【００１４】
この発明の一実施例を以下図面に基づいて説明する。  
［第１実施例］  
図面はパチンコ機に組込まれて球の通過を検知する金属球検知センサを示し、図１は金属球検知センサ１１裏側の斜視図、図２は金属球検知センサ１１にソケット１２が接続された使用状態を示す斜視図、図３は金属球検知センサ１１の裏側を斜め上方から見た分解斜視図、図４は金属球検知センサ１１の裏側を斜め下方から見た分解斜視図を示す。
【００１５】
以下の実施例は使用状態で記載すると、シールドカバーや部品搭載面側が下面になって搭載部品が見えなくなってしまうことから下面側を上面として説明する。金属球検知センサ１１は、金属球の通過によりシールドカバーが変形しにくいように、シールドカバーや電子部品の搭載面側を下面にして使用する方が望ましい。
【００１６】
この金属球検知センサ１１は、静電気対策用に上面に設けられるシールドカバー１３と、一側に内蔵されるコイルスプール１４と他側に内蔵される配線基板１５を連結してなる検知構成体１６と、コネクタベース１７と、これらを搭載するベース１８と、該ベース１８の上面に搭載した部品をモールド固定するための絶縁性樹脂材１９とから構成される。
【００１７】
前記検知構成体１６を構成する一側のコイルスプール１４は、コイル巻線２０を巻回する巻胴部２１の内側に、球Ｐを通過させる貫通孔２２を有している。さらに、巻胴部２１の上下両端に設けられたフランジ２３，２４間にコイル巻線２０が巻かれる。
【００１８】
また、垂直方向に貫通孔２２を開口した巻胴部２１からは水平方向に平板状の基板接続部２５を延設している。この基端接続部２５は端部にコ形部２６が設けられ、このコ形部２６のコ形空間に後述する配線基板１５の端部が差し込まれて一体に連結される。また、基板接続部２５の上面には、コイル巻線２０側からの両端を配線基板１５側に配線接続する際に掛け回すための一対の中継突部２７を突設している。
【００１９】
前記配線基板１５は、上面にＩＣ、抵抗、コンデンサ等の電子部品１５ａを実装して発振回路や検波回路、出力回路等が構成されている。そして、この配線基板１５の一端部が前記基板接続部２５のコ形部２６に差し込まれて取付けられ、この指し込み部分の両側に、コイル巻線２０の両端部をそれぞれ接続する突片２８が突設されている。そして、これらの突片２８に発振回路や信号出力用の回路パターンが接続される。
【００２０】
配線基板１５の他端部には凹形状に切欠いた切欠き開口部２９を開口しており、この切欠き開口部２９にコネクタベース１７が取付けられる。コネクタベース１７は一側面を開放した箱形状を有し、外周囲の３側面が切欠き開口部２９に保持されて、該コネクタベース１７が配線基板１５に縦貫された状態に取付けられる。そして、このコネクタベース１７を配線基板１５に取付けたときの一側面に設けられる配線接続用の開放端側にコネクタピン１７ａが並列して対向し、ここに、金属球検知センサ１１を示す図５の平面図及び図６の側面図にも示すように、ソケット１２が差し込まれて電気的に接続される。
【００２１】
ベース１８は上面を開放した長方体を有し、該ベース１８の一側にコイルスプール１４を搭載し、他側に配線基板１５を搭載する。このベース１８の一側には、コイルスプール１４の貫通孔２２と対応して開口するベース貫通孔３０を有し、該ベース貫通孔３０に前記コイルスプール１４の巻胴部２１の下部が嵌合して固定される。
【００２２】
また、ベース１８の中間部には位置決め溝３１を有し、ここに基板接続部２５の裏面中央に形成された位置決め突部３２（図４参照）を嵌合させて位置決めしている。同じく、位置決め溝３１に隣接して幅方向に長くコ型部２６の嵌合用に凹部形成した凹型嵌合部３３には、基板接続部２５のコ形部２６の下側が嵌合して同様に位置決めされる。
【００２３】
さらに、ベース１８の他側（配線基板１５側）の端部にはコネクタベース嵌合用の凹部３５を有しており、ここにコネクタベース１７の下部が嵌まり込んで固定される。また、ベース１８の外周囲側面のうち、コネクタベース１７と対応する一側面は、外部よりソケット１２を着脱する配線接続用に開放した段付き開放部３６に開口している。
【００２４】
また、ベース１８の両外側面には小さな突起３７や凹状段部３７ａを複数形成しており、後述する絶縁性樹脂材１９をモールド固定した際に、該ベース１８と絶縁性樹脂材１９との連結性を高める役目を有している。
【００２５】
前記シールドカバー１３は、相互干渉や周囲金属の影響を抑制するのに適した銅材などの導電性を有する金属板で構成され、下面及び一側面を開放した箱形状を有している。そして、このシールドカバー１３の上面中央部に、貫通孔２２より少し大径のカバー貫通孔３８を開口し、該カバー貫通孔３８が前記貫通孔２２と対応し、且つ貫通孔２２の内周面を除く巻胴部２１の外周囲を覆った状態でベース１８に取付けられる。このシールドカバー１３の一開放側面を除く閉鎖された外周囲の３側面１３ａ，１３ｂ，１３ｃは、ベース１８の同対応位置の３側面１８ａ，１８ｂ，１８ｃに対応して軽く嵌合させると共に、部分的にカシメて仮止めした状態に取付けられる。
【００２６】
また、シールドカバー１３の開放された一側面には、開放側の該シールドカバー１３より端縁を少し延設させた樹脂連結片３９を延設しており、後述する絶縁性樹脂材１９によりモールド固定した際に、シールドカバー１３側の開放面における該シールドカバー１３と絶縁性樹脂材１９との接触面積を増やして双方の連結性を高める役目を有している。
【００２７】
そして、ベース１８上に、検知構成体１６とコネクタベース１７とシールドカバー１３を組付けた後、最後に絶縁性樹脂材１９によって、図１及び図２と、図５をＡ−Ａ断面して示す図７、及び図５をＢ−Ｂ断面して示す図８に示すように、前記ベース１８の他側に搭載されている配線基板１５の上方及び前記コイル巻線２０の外周面側に形成される環状隙間４０を絶縁性樹脂材１９によりモールド固定して封止する。
【００２８】
前記絶縁性樹脂材１９を用いてモールド固定した場合は、該絶縁性樹脂材１９にて配線基板１５の上面を封止できるため、配線基板１５は外部からの静電気の悪影響を受けない。また、球Ｐが貫通孔２２を通過する際に該球Ｐが貫通孔２２の内周面に当って生じる振動を絶縁性樹脂材１９によって抑制できるため電子部品１５ａ間の共振を抑制する効果が得られる。また、絶縁性樹脂材１９は、配線基板１５の上面を保護するカバー兼用に設けることができる。このため、上面カバーは不要になり、カバーの高さ分だけ低くした薄型の金属球検知センサ１１を構築できる。
【００２９】
さらに、充填された絶縁性樹脂材１９は、金属球検知センサ１１を平面的に表した図５をＣ−Ｃ断面して示す図９、及び図５をＤ−Ｄ断面して示す図１０にも見られるように、上面を閉鎖するシールドカバー１３と、コイルスプール１４の外周面と、その外周囲及び下面を閉鎖するベース１８との間で囲まれる環状隙間４０に行き渡る。このため、絶縁性樹脂材１９がコイル巻線２０を包み込んで保護すると共に、仮止め状態にあったシールドカバー１３をベース１８上に一体に固定することができる。また、コイル巻線２０を細線化しても絶縁性樹脂材１９により球Ｐが貫通孔２２を通過する際に該球Ｐが貫通孔２２の内周面に当って生じる振動から保護されるので、巻数を減らさずに細線化が可能になり、小さく収納できることから高さ方向を低くして金属球検知センサ１１の薄型化に貢献することができる。
【００３０】
前記シールドカバー１３は図２に示すようにコイルスプール１４の貫通孔２２に球Ｐが上方から流入する該貫通孔２２周辺の下面側及び貫通孔２２周辺の外側面を静電気対策用に覆い、且つ安定電位と接続しないので、貫通孔２２を通過する球Ｐが帯電していても、該シールドカバー１３や絶縁性樹脂材１９によって遮断し、内部のコイル巻線２０を保護することができる。このため、コイルスプール１４のコイル巻線２０は外部からの静電気の悪影響を受けなくなる。従って、コイル巻線２０は安定した検知感度を維持して正確に球の検知動作を実行する。ことに、シールドカバー１３を外殻部材として設け、コイル巻線２０との間に絶縁性樹脂材１９を配設することでコイル巻線２０の検知感度を保護することができる。このような検知感度の保護技術を確立することにより、コイル巻線２０に貫通孔２２の上面からの静電気を防止するためのシールド部材を省略することができ、そのシールド部材の高さ分だけ配設寸法を低くできる。このため、コイルスプール１４側においても金属球検知センサ１１を薄型化できる。
【００３１】
さらに、シールドカバー１３とコイルスプール１４との球Ｐが流出される各上面１３ｄ，１４ａ側を略同一の平面高さに揃えている。このため、これらの上面１３ｄ，１４ａとコイル巻線２０までの距離が一定となり、各上面１３ｄ，１４ａが検知基準位置となり、球の検知開始位置が一定となる。従って、貫通孔２２を通過し始める球Ｐに対するコイル巻線２０での検知タイミングが常に正確にとれ、個々の球に対する正確な検知特性が得られる。
【００３２】
この場合、コイルスプール１４の上面１４ａを、シールドカバー１３の上面１３ｄより僅かに軸方向に突出させて設けても、該コイルスプール１４の上面１４ａは外部に露出して球流入側の検知基準位置となるため、コイルスプール１４の上面１４ａとシールドカバー１３の上面１３ｄとは同じか、もしくはコイルスプール１４の上面１４ａを僅かに突出させて設けてもよく、何れにしても同様な作用効果が得られる。
【００３３】
また、コイルスプール１４の下面１４ｂ側も、該コイルスプール１４を保持するベース１８の下面１８ｄと略同一の平面上に揃えている。このため、各下面１４ｂ，１８ｄからコイル巻線２０までの距離が一定であり、下面１４ｂ，１８ｄ側を検知基準位置に設定することもできる。
【００３４】
さらに、コイルスプール１４の上下面１４ａ，１４ｂから検知位置を特定できるため、球Ｐが貫通孔２２を通過するときの検知開始位置から検知終了位置まで正確に検知できる。またこのときは、金属球検知センサ１１の表裏の取付け方向に制限を受けず、取扱い性に優れ、高精度で信頼性の高い確かな球の検知ができる。
【００３５】
この際、上面１３ｄ，１４ａからコイル巻線２０までの距離は、上面のシールドカバー１３からの金属としての影響を受けない距離に設定する。さらに、下面１４ｂ，１８ｄからコイル巻線２０までの距離も同様に金属としての影響を受けない一定の距離をとって設けている。例えば、２個の金属球検知センサ１１を上下に連設して球の流下方向を検知するように構成した場合にでも、下部の金属球検知センサ１１の上面に位置するシールドカバー１３の金属による静電気の影響を、上部の金属球検知センサ１１のコイル巻線２０が受けない一定の距離をとって設けている。
【００３６】
前記貫通孔２２は単一のコイルスプール１４を縦貫して開口しているため一部材で済み、他部材の存在がなく、それゆえ該貫通孔２２の内周面には段差が生じず、球Ｐの円滑な流れを確保することができる。
【００３７】
さらに、粘性の高い絶縁性樹脂材１９を用いれば、コイル巻線２０の充填部分においても、巻線空間への樹脂の侵入及び介在が少なくなり、コイル巻線２０の性能を劣化させない利点がある。また、接着性の高い絶縁性樹脂材１９を用いれば、部品の固定強度が高まり、剛性も高めることができる。従って、高粘性、高接着性及び電気絶縁性に優れた絶縁性樹脂材１９を用いるのが適している。
【００３８】
さらに、配線基板１５側に絶縁性樹脂材１９を充填して封止した際には、金属球検知センサ１１を平面的に表した図５をＥ−Ｅ断面して示す図１１、及び図５をＦ−Ｆ断面して示す図１２のように、コネクタベース１７の部分まで充填して各部品を強固にモールド固定する。また、図５をＧ−Ｇ断面して示す図１３のように、コネクタベース１７の外周囲の３側面を抱き込むようにモールド固定して、該コネクタベース１７を配線基板１５及びベース１８に一体に固定する。
【００３９】
特に、絶縁性樹脂材１９により配線基板１５やコネクタベース１７を強固にモールド固定できるので配線基板１５やコネクタベース１７は外力を受けて簡単に外れなくなる。例えば、コネクタベース１７に外部からソケット１２を着脱するような場合に、コネクタベース１７を配線基板１５から剥離させて上方へ持ち上げる剥離力、あるいは引っ張るなどの剥離力が働いても、コネクタベース１７の外周囲が絶縁性樹脂材１９によりモールド固定されているため配線基板１５及びベース１８から容易に外れ難くなり、断線不良等のおそれがなくなる。
【００４０】
ところで、このコネクタベース１７自体についても、高さ抑制機能を持たせて薄型化を図っている。まず、コネクタベース１７を配線基板１５に縦貫させた状態に取付けることにより、コネクタベース１７を若干沈み込ませた状態に取付けることができ、該コネクタベース１７の搭載高さを低くすることができる。また、コネクタベース１７の下面に対応するベース１８の上面にもコネクタベース嵌合用の凹部３５を形成しているため、ここに嵌合されるコネクタベース１７をさらに沈み込ませて、コネクタベース１７の搭載高さを一層低くして取付けることができる。
【００４１】
これにより、ベース１８上に封止される絶縁性樹脂材１９の上面高さと、コネクタベース１７の上面高さとの双方を低くして略同高さに揃えることができる。このため、金属球検知センサ１１の配線基板１５側の高さを抑えることができ、また外形状は長方体の平板状にできるため、上下方向を薄型化した金属球検知センサ１１が得られる。
【００４２】
さらに、コネクタベース１７のコネクタピン１７ａとソケット１２のコンタクト１２ａとの接合に際しても薄型化を図るための工夫を施している。この配線接続部の薄型化に際しては、コネクタベース１７のコネクタピン１７ａに凹部対応して挿脱自在に接続されるソケット１２のコンタクト１２ａの断面形状について、該コンタクト１２ａの縦横の長さ比のうち、縦方向を短く横方向を長くした横長のコンタクト１２ａに形成している。このため、コンタクト１２ａの高さ方向を短縮することに基づいてコネクタベース１７の高さを抑制することができる。この結果、該コネクタベース１７を薄型化でき、ひいては金属球検知センサ１１の薄型化につながる。
【００４３】
次に、金属球検知センサ１１の製造方法について説明する。  
まず、コイルスプール１４と配線基板１５とを一体に連結してなる検知構成体１６を、凹状に形成されたベース１８の上面に搭載する。このとき、ベース１８の一側にはコイル巻線２０を巻いてなるコイルスプール１４が搭載され、ベース１８の他側には前記コイルスプール１４に巻かれたコイル巻線２０の両端を接続してなるセンサ回路を実装した配線基板１５が搭載される。
【００４４】
また、搭載時には、ベース貫通孔３０にコイルスプール１４の筒状に設けられた巻胴部２１の下部を嵌合させることにより、コイルスプール１４は正確に貫通孔２２との芯合せが行われてベース１８に搭載される。また、基板接続部２５の位置決め突部３２をベース１８の位置決め溝３１に嵌合させ、且つ該基板接続部２５のコ形部２６の下部をベース１８の凹型嵌合部３３に嵌合させることで、検知構成体１６をベース１８に正確に位置決めして搭載することができる。
【００４５】
前記ベース１８に検知構成体１６を搭載した後、コイルスプール１４側の上面及び貫通孔２２周辺のベース１８の外側面を、シールドカバー１３で覆って仮固定した状態で、前記コイル巻線２０の外周面側に形成される環状隙間４０、及び配線基板１５の上方を絶縁性樹脂材１９によりモールド固定して平板状の長方体に封止することにより金属球検知センサ１１を単一の部品として一体的に設けることができる。
【００４６】
このときの絶縁性樹脂材１９の充填方法としては内蔵部品に過剰なストレスを加えず、コイル巻線２０を変形させないように熱可塑性樹脂を用いた後述する低圧充填工法を使用すればよい。
【００４７】
前記絶縁性樹脂材１９の充填時に、該絶縁性樹脂材１９がコイル巻線２０の線間に侵入すると、コイル巻線２０の線間に誘電率の高い材料が存在することになり、コイル巻線２０の線間容量が増すことになる。このために、金属球検知センサ１１の検出デバイスとなるコイル巻線２０の感度が低下する。もしくは、製造工程の環境条件によって絶縁性樹脂材１９の浸入度合いがばらつき、検出性能そのものをばらつかせる（検出距離性能がばらつく）といったことが想定されることから、コイル巻線２０の線間に充填された絶縁性樹脂材１９が浸入しない条件が好ましい。これを実現するための条件としては、充填時もしくは低圧成型時の樹脂粘度が、充填される全域へ行き渡り、しかも樹脂粘度が高いことが必要である。例えば、溶解粘度２０００Ｐａ／Ｓ以上の熱可塑性樹脂が好ましい。
【００４８】
また、成型圧力についてもコイル巻線２０の線間に浸透しないように成型圧力を加えないことが好ましく、具体的には２ＭＰａ以下という低圧の成型もしくは充填のみで製造する低圧充填工法が適している。
【００４９】
この結果、コイル巻線２０に絶縁性樹脂材１９を接触させることは避けられないが、検出感度の低下・検出性能の製造ばらつき等が最小限に抑えられ、コイル巻線２０部分での絶縁性樹脂材１９による剛性強化、薄型化を実現できる。さらに、粘度の高い樹脂を充填する場合、配線基板１５に実装された電子部品１５ａと配線基板１５の隙間に絶縁性樹脂材１９が浸入せず、充填した絶縁性樹脂材１９の膨張・収縮によって電子部品１５ａが剥離するおそれも解消できる。
【００５０】
このような製造方法によれば、仮組立後に絶縁性樹脂材１９を充填するだけなので金属球検知センサ１１を簡単に製造することができ、且つ絶縁性樹脂材１９の介在により配線基板１５やコイル巻線２０を気密に保護する安定した成形ができる。
【００５１】
また、モールド工程で絶縁性樹脂材１９に接する各部材は一体に固定されるため部材間の連結性を高めることができる。さらに、絶縁性樹脂材１９を成形用の金型内に充填することによって、金属球検知センサ１１の上面高さを平板状の同一の平面高さに容易に揃えて所望の形状に成形することができる。このため、金属球検知センサ１１の検知開始位置となる上面高さを精度良く製造することができ、上面からコイル巻線２０までの上下の距離が正確となり、コイル巻線２０の検知特性を安定させて検知時のばらつきを抑えることができる。このため、金属球検知センサ１１のセンサ性能の向上を図ることができる。
【００５２】
次に、このように製造された金属球検知センサ１１の使用状態について説明する。  
金属球検知センサ１１のコネクタベース１７にソケット１２が差し込まれ、該金属球検知センサ１１に電源が供給されると、コイル巻線２０が励磁され、その内側の貫通孔２２に向けて磁束を発生させる。これにより、金属球検知センサ１１は球Ｐの通過を検知する検知待機状態になる。この検知待機状態で、今、図２に示すように、この金属球検知センサ１１の貫通孔２２に上方から下方に向けて球Ｐが通過するとき、球Ｐが貫通孔２２の上面に到達した時点でコイル巻線２０の磁束が乱れ始め、これに基づいてセンサ回路側で検知動作を開始する。そして、球Ｐが貫通孔２２を通過した時点で磁束の乱れは元の整然とした検知待機状態に戻り、球１個の検知が終了する。
【００５３】
このとき、コイル巻線２０側からは配線基板１５側の図示しない発振回路、検波回路及び出力回路等からなるセンサ回路へと導かれ、これよりソケット１２を介して球検知信号が図示しない制御部に出力され、球Ｐ１個が通過されたことを確認する。また、通過する球Ｐが帯電している際は、シールドカバー１３や絶縁性樹脂材１９によってコイル巻線２０側に向かう静電気を遮断するため、コイル巻線２０及び配線基板１５に対しては静電気による悪影響をきたすことはない。このような検知動作が球Ｐの通過ごとに繰返され、球通過の有無及び、ここを通過した球の計数値が求められる。
【００５４】
このように、金属球検知センサ１１はコイル巻線２０の外部の上面側に、シールドカバー１３を上ケース及び磁気シールドを兼ねた外殻部材として配設することにより、内部のコイル巻線２０を外部の静電気から保護することができる。また、シールドカバー１３に対しては放電構造を省略することができる。
【００５５】
さらに、絶縁性樹脂材１９を用いて金属球検知センサ１１をモールド固定するため、金属球検知センサ１１はシールドカバー１３側と配線基板１５側との隣接する接続部間を絶縁分離することができる。このため、金属球検知センサ１１は絶縁性樹脂材１９が、配線基板１５側のセンサ回路に対する静電気防止部材として機能し、該センサ回路に静電気が侵入（電気的ノイズ）するのを解消する信頼性の高い静電気対策が得られる。
【００５６】
さらに、金属球検知センサ１１の薄型化に際しても、コイル巻線２０側にあっては、外部の球が流入する上面側をシールドカバー１３で覆うだけでシールド機能が得られるため、上ケースを兼ねたシールドカバー１３を設けるだけでコイル巻線２０側を薄型化できる。また、配線基板１５側にあっては、その上面全体を絶縁性樹脂材１９を用いて上ケースの代わりに兼用できるため、上ケースを省略して配線基板１５側の薄型化を実現することができる。
【００５７】
［第２実施例］  
この金属球検知センサ１４１は、第１実施例の金属球検知センサ１１と比較して、ベース１８全体を覆うシールドカバー１４２を用いる点と、絶縁性樹脂材１９をコイル巻線２０側だけに用いて、配線基板１５側には用いない点が異なるだけで、他の構成は同じであるため、同一の構成については同一の符号を用いて、その説明を省略する。
【００５８】
図１４は金属球検知センサ１４１裏側の外観斜視図、図１５は金属球検知センサ１４１の裏側を斜め上方から見た分解斜視図、図１６は金属球検知センサ１４１の裏側を斜め下方から見た分解斜視図を示す。
【００５９】
以下の実施例は使用状態で記載すると、シールドカバーや部品搭載面側が下面になって搭載部品が見えなくなってしまうことから下面側を上面として説明する。金属球検知センサ１４１は、金属球の通過によりシールドカバーが変形しにくいように、シールドカバーや電子部品の搭載面側を下面にして使用する方が望ましい。
【００６０】
前記シールドカバー１４２は、銅材などの導電性を有する金属板で構成され、下面及び一側面を開放した箱形状を有している。そして、このシールドカバー１４２の上面中央部に貫通孔２２より少し大径のカバー貫通孔３８を開口し、該カバー貫通孔３８が前記貫通孔２２と対応し、ベース１８の下面及び前記貫通孔２２の内周面を除く、ベース上方の外周囲全体を該１枚のシールドカバー１４２により被覆する構成としている。このときのシールドカバー１４２とベース１８との連結構造は、シールドカバー１４２の両側面に２個一対に開口した係合口１４３を有し、これらの係合口１４３をベース１８の両側面に突設した小さな係合突起１４４に係合させて一体に連結する。
【００６１】
このシールドカバー１４２を設けた場合は、ベース１８に搭載した搭載部品の全体を外部からの静電気より保護することができる。また、絶縁性樹脂材１９を省略することができる構成となるほか、該シールドカバー１４２を金属球検知センサ１４１の上面カバーに兼用させることができるため部品点数を削減することができる。
【００６２】
［第３実施例］  
この金属球検知センサ１７１は、第１実施例の金属球検知センサ１１と比較して、上面カバー１７２を用いる点と、絶縁性樹脂材１９をコイル巻線２０側だけに用いて、配線基板１５側には用いない点が異なるだけで、他の構成は同じであるため、同一の構成については同一の符号を用いて、その説明を省略する。
【００６３】
図１７は金属球検知センサ１７１裏側の外観斜視図、図１８は金属球検知センサ１７１の裏側を斜め上方から見た分解斜視図、図１９は金属球検知センサ１７１の裏側を斜め下方から見た分解斜視図を示す。
【００６４】
以下の実施例は使用状態で記載すると、シールドカバーや部品搭載面側が下面になって搭載部品が見えなくなってしまうことから下面側を上面として説明する。金属球検知センサ１７１は、金属球の通過によりシールドカバーが変形しにくいように、シールドカバーや電子部品の搭載面側を下面にして使用する方が望ましい。
【００６５】
前記上面カバー１７２は逆凹形状を有し、ベース１８の他側上面に配設された配線基板１５の上方を、空間を隔てて覆ったものである。このときの上面カバー１７２とベース１８との連結構造は、上面カバー１７２の両側面に２個一対に開口した係合口１７３を有し、これらの係合口１７３をベース１８の両側面に突設した小さな係合突起１７４に係合させて一体に連結する。
【００６６】
この上面カバー１７２を設けた場合は、この上面カバー１７２を用いて配線基板１５の上面を覆うことにより電子部品１５ａを保護する機能を有するほか、検知にばらつきがあっても、上面カバー１７２を開けて内部の電子部品１５ａを人手により調整できるため検知のばらつきを調整できる利点がある。
【００６７】
［第４実施例］  
この金属球検知センサ２０１は、第１実施例の金属球検知センサ１１と比較して、モールド固定強化用の連結促進孔２０２を多数穿孔した多孔型シールドカバー２０３を設けた点が異なるだけで、他の構成は同じであるため、同一の構成については同一の符号を用いて、その説明を省略する。
【００６８】
図２０は金属球検知センサ２０１裏側の外観斜視図、図２１は金属球検知センサ２０１の裏側を斜め上方から見た分解斜視図、図２２は金属球検知センサ２０１の裏側を斜め下方から見た分解斜視図、図２３は金属球検知センサ２０１裏側の多孔型シールドカバー取付け時の要部拡大平面図、図２４は連結促進孔２０２に絶縁性樹脂材１９が充填された状態を示す要部拡大縦断面図を示す。
【００６９】
前記多孔型シールドカバー２０３は、小さな連結促進孔２０２をシールドカバーの上面全体に渡って多数設けることにより、モールド固定時に充填される絶縁性樹脂材１９が各連結促進孔２０２に行き渡り、この結果、多孔型シールドカバー２０３は絶縁性樹脂材１９を介してコイルスプール１４及びベース１８に強固に連結して固定される。また、連結促進孔２０２のほかに、連結促進用に切欠いた切欠き部などを形成して設けることもできる。
【００７０】
前記第１〜第４実施例の金属球検知センサ１１，１４１，１７１，２０１をパチンコ機に取付ける際、該金属球検知センサ１１，１４１，１７１，２０１の何れか１つをホルダ（図示省略）により一体化して保持し、該ホルダを、パチンコ機の遊技盤面の入賞口に相当する金属球通過位置にビス止めして取付ければよい。
【００７１】
前記遊技盤面に取付けられるホルダはセンサ保持機能に加えて、該ホルダについても静電気対策を施したセンサ保護機能を加えることができる。例えば、第１実施例の場合、前記ホルダ自体の外表面に、前記金属球検知センサ１１のシールドカバー１３と接触する導電性金属層（メッキ処理等）を形成し、該導電性金属層の一部に接触して、グランドに接続された静電気逃し用のリード線を接続すればよい。これにより、金属球通過位置からの静電気対策として備えられているシールドカバー１３によって、内部のセンサ回路部を静電気から保護できるだけでなく、金属球検知センサ１１の全体を覆うホルダからも静電気を分散させたり、静電気をグランドへと逃すという静電気対策を施すことができる。
【００７２】
また、前記金属球検知センサ１１は主にパチンコ機の入賞口に使用されることから、該金属球検知センサ１１のセンサ回路部を改造して、多く入賞したように誤入賞信号を出力させるセンサ回路部の改造が行われるおそれがある。このような改造が行われたことを外観上で容易に発見できることが望まれている。
【００７３】
それゆえ、内部のセンサ回路部の改造防止手段として、前記金属球検知センサ１１のセンサ回路部を平板状にモールド固定して覆っている絶縁性樹脂材１９の外表面に、製造日・場所などを表す文字や記号等による製品情報の印字（マーキング）を施すのが適している。これにより、センサ回路部の改造を試みようとしても、絶縁性樹脂材１９が変形したり、印字も乱れたりするため一目で不正がなされたか否かを確認することができる。具体的には、絶縁性樹脂材１９を剥がし、その後、絶縁性樹脂材１９によるモールドの再現と、同じフォントによるマーキングの再現との２重の再現が必要になり、不正防止力（セキュリティ性）が高まる。さらに、この絶縁性樹脂材１９を透明の絶縁性樹脂材にて形成すれば、正規の電子部品の配置や形状の適否を外観から一目で確認できる。
【００７４】
この発明の構成と、上述の一実施例の構成との対応において、
この発明の貫通型金属球検出装置は、実施例の金属球検知センサ１１，１４１，１７１，２０１に対応し、
以下同様に、
外殻部材は、シールドカバー１３,１４２及び多孔型シールドカバー２０３に対応し、
コイルスプールの一方の端面は、コイルスプールの上面１４ａに対応するも、この発明は上述の実施例のみに限定されるものではなく、請求項に記載された技術思想に基づいて応用することができる。
【図面の簡単な説明】
【００７５】
【図１】第１実施例の金属球検知センサの裏側を示す外観斜視図。
【図２】第１実施例の金属球検知センサの使用状態を示す外観斜視図。
【図３】第１実施例の金属球検知センサの裏側を斜め上方から見た分解斜視図。
【図４】第１実施例の金属球検知センサの裏側を斜め下方から見た分解斜視図。
【図５】第１実施例の金属球検知センサの裏側を示す平面図。
【図６】第１実施例の金属球検知センサのコネクタベース側を示す側面図。
【図７】第１実施例の図５のＡ−Ａ線矢視断面図。
【図８】第１実施例の図５のＢ−Ｂ線矢視断面図。
【図９】第１実施例の図５のＣ−Ｃ線矢視断面図。
【図１０】第１実施例の図５のＤ−Ｄ線矢視断面図。
【図１１】第１実施例の図５のＥ−Ｅ線矢視断面図。
【図１２】第１実施例の図５のＦ−Ｆ線矢視断面図。
【図１３】第１実施例の図５のＧ−Ｇ線矢視断面図。
【図１４】第２実施例の金属球検知センサの裏側を示す外観斜視図。
【図１５】第２実施例の金属球検知センサの裏側を斜め上方から見た分解斜視図。
【図１６】第２実施例の金属球検知センサの裏側を斜め下方から見た分解斜視図。
【図１７】第３実施例の金属球検知センサの裏側を示す外観斜視図。
【図１８】第３実施例の金属球検知センサの裏側を斜め上方から見た分解斜視図。
【図１９】第３実施例の金属球検知センサの裏側を斜め下方から見た分解斜視図。
【図２０】第４実施例の金属球検知センサの裏側を示す外観斜視図。
【図２１】第４実施例の金属球検知センサの裏側を斜め上方から見た分解斜視図。
【図２２】第４実施例の金属球検知センサの裏側を斜め下方から見た分解斜視図。
【図２３】第４実施例の金属球検知センサ裏側の多孔型シールドカバーの取付け状態を示す拡大平面図。
【図２４】第４実施例の金属球検知センサ裏側の連結促進孔に絶縁性樹脂材が充填された状態を示す要部拡大縦断面図。
【図２５】従来の貫通型金属球検出装置の使用状態を示す要部拡大縦断面図。
【符号の説明】
【００７６】
１１，１４１，１７１，２０１…金属球検知センサ
１３，１４２，２０３…シールドカバー
１３ｄ，１４ａ…上面
１４ｂ，１８ｄ…下面
１９…絶縁性樹脂材
２２…貫通孔
４０…環状隙間
【図１】
2007144116.tif 000003
【図２】
2007144116.tif 000004
【図３】
2007144116.tif 000005
【図４】
2007144116.tif 000006
【図５】
2007144116.tif 000007
【図６】
2007144116.tif 000008
【図７】
2007144116.tif 000009
【図８】
2007144116.tif 000010
【図９】
2007144116.tif 000011
【図１０】
2007144116.tif 000012
【図１１】
2007144116.tif 000013
【図１２】
2007144116.tif 000014
【図１３】
2007144116.tif 000015
【図１４】
2007144116.tif 000016
【図１５】
2007144116.tif 000017
【図１６】
2007144116.tif 000018
【図１７】
2007144116.tif 000019
【図１８】
2007144116.tif 000020
【図１９】
2007144116.tif 000021
【図２０】
2007144116.tif 000022
【図２１】
2007144116.tif 000023
【図２２】
2007144116.tif 000024
【図２３】
2007144116.tif 000025
【図２４】
2007144116.tif 000026
【図２５】
2007144116.tif 000027